(57)【特許請求の範囲】
【請求項１】
側板(1,2)と蓋板(4,5)の稜部折目線(6)を跨ぐ２本の切目線(7)間にロック片(8)を設けた開放ロック付包装箱において、ロック片(8)の側板部分である側片部(9)の両側縁に張出部(9a)及び切欠部(9b)を設け、ロック片(8)の蓋板部分である蓋片部(10)の両側縁を平行とし、側片部(9)及び蓋片部(10)の基端のうち、蓋片部(10)の基端にのみ、稜部折目線(6)と平行な基部折目線(11)を入れ、側片部(9)及び蓋片部(10)の両側の切目線(7)に繋部(7a)を設け、蓋板(4,5)を開いて側板(1,2)の外側へ折り返し、側片部(9)と蓋片部(10)とを重ねたとき、これらの繋部(7a)が重ならないように、繋部(7a)の位置をずらし、基部折目線(11)をヒンジとして、側片部(9)と蓋片部(10)とが重なり合ったロック片(8)を外側へ倒したとき、側片部(9)の張出部(9a)が蓋片部(10)の抜出穴の側縁に係合して、切欠部(9b)に蓋板(4,5)が噛み込むようにしたことを特徴とする開放ロック付包装箱。
【請求項２】
請求項１記載の開放ロック付包装箱において、蓋板(5)の突合部から回り込んで封緘用テープの端部が貼り付けられる側板(1)に、ロック片(8)の側片部(9)に切目線を入れて、テープが被さる摘み部(12)を設け、摘み部(12)に臨んでテープが被さらない位置に切目線を入れて、指入部(13)を設けたことを特徴とする開放ロック付包装箱。
【発明の詳細な説明】
【技術分野】
【０００１】
この発明は、蓋板を開いた状態に保持できる開放ロック付包装箱に関するものである。
【背景技術】
【０００２】
従来、下記特許文献１には、図８に示すように、側板５１と蓋板５２の稜部折目線６１を跨いで、側板５１から蓋板５２にかけてテーパ状に幅が狭くなる２本の切目線６２を入れて、その間にロック片５３を設け、ロック片５３の側板部分及び蓋板部分をそれぞれ側片部５４及び蓋片部５５とした開放ロック付包装箱が記載されている。
【０００３】
この開放ロック付包装箱では、蓋板５２を開いて側板５１の外側へ折り返し、側片部５４と蓋片部５５とが重なり合ったロック片５３を外側へ倒すと、側片部５４の両側部分が蓋片部５５の抜出穴の側縁に係合して、蓋板５２が開いた状態に保持されるので、物品の取り出しを容易に行なうことができる。
【０００４】
【特許文献１】実開平２−８７７１８号公報
【発明の開示】
【発明が解決しようとする課題】
【０００５】
しかしながら、上記のような開放ロック付包装箱では、ロック片５３を倒す際、側片部５４や蓋片部５５の側縁部分が破れ、これに伴う抵抗が非常に大きく、また、積上荷重が作用すると、切目線６２の付近が変形するおそれがある。
【０００６】
そこで、この発明は、軽い力で簡単かつ確実にロックでき、耐圧強度にも優れた開放ロック付包装箱を提供することを課題とする。
【課題を解決するための手段】
【０００７】
上記課題を解決するため、この発明は、側板と蓋板の稜部折目線を跨ぐ２本の切目線間にロック片を設けた開放ロック付包装箱において、ロック片の側板部分である側片部の両側縁に張出部及び切欠部を設け、ロック片の蓋板部分である蓋片部の両側縁を平行とし、側片部及び蓋片部の基端のうち、蓋片部の基端にのみ、稜部折目線と平行な基部折目線を入れ、蓋板を開いて側板の外側へ折り返し、基部折目線をヒンジとして、側片部と蓋片部とが重なり合ったロック片を外側へ倒したとき、側片部の張出部が蓋片部の抜出穴の側縁に係合して、切欠部に蓋板が噛み込むようにしたのである。
【０００８】
また、前記側片部及び蓋片部の両側の切目線に繋部を設け、側片部と蓋片部とを重ねたとき、これらの繋部が重ならないように、繋部の位置をずらしたのである。
【０００９】
さらに、蓋板の突合部から回り込んで封緘用テープの端部が貼り付けられる側板に、ロック片の側片部に切目線を入れて、テープが被さる摘み部を設け、摘み部に臨んでテープが被さらない位置に切目線を入れて、指入部を設けたのである。
【発明の効果】
【００１０】
この開放ロック付包装箱では、側片部と蓋片部とが重なり合ったロック片を外側へ倒すとき、側片部の張出部が撓みつつ、両側縁が平行となった蓋片部の抜出穴をスムーズに通過し、蓋片部の基端に入れた基部折目線をヒンジとしてロック片が揺動し、側片部の基端側の切欠部に蓋板が噛み込むので、軽い力で簡単かつ確実にロックすることができ、側片部の基端には折目線がないことから、耐圧強度も確保される。
【００１１】
また、側片部と蓋片部の両側の切目線に入れた繋部によっても、耐圧強度が向上し、側片部と蓋片部の繋部の位置をずらしたので、ロック片を倒す際、側片部と蓋片部の繋部が同時にではなく順次切断され、抵抗が軽減される。
【００１２】
さらに、封緘用テープの端部が貼り付けられる側板に入れた切目線により、ロック片にテープが被さる摘み部を設け、摘み部に臨む指入部を設けたので、指入部に指を入れて摘み部を摘み、テープを容易に剥がして開封できる。
【発明を実施するための最良の形態】
【００１３】
以下、この発明の実施形態を添付図面に基づいて説明する。
【００１４】
この開放ロック付包装箱は、図１に示す段ボール製のブランクから形成される。このブランクでは、図１に示すように、各一対の側板１，２が交互に連設され、一方の側板２の外側には継代片３が連設されている。側板１，２の上端には蓋板４，５が、下端には底板１４，１５がそれぞれ連設されている。
【００１５】
側板１，２と上方の蓋板４，５の連接部分には、それぞれ稜部折目線６を跨ぐ２本の切目線７が入れられ、切目線７に挟まれたロック片８が設けられている。ロック片８の側板１，２の部分は側片部９とされ、蓋板４，５の部分は蓋片部１０とされている。側片部９及び蓋片部１０は、切目線７の両端位置がそれぞれ基端となる。
【００１６】
ここで、図２において、側板２と蓋板５の連接部分について拡大して示すように、側片部９の両側縁には、稜部折目線６から下方へかけて外側へ張り出すテーパー状の張出部９ａと、その基端側で円弧状に切れ込む切欠部９ｂとが設けられている。蓋片部１０の両側縁は、平行とされている。
【００１７】
また、ロック片８には、側片部９及び蓋片部１０の基端のうち、蓋片部１０の基端にのみ、稜部折目線６と平行な押罫から成る基部折目線１１が入れられている。
【００１８】
また、側片部９及び蓋片部１０の両側の切目線７には繋部７ａが設けられ、側片部９と蓋片部１０とを重ねたとき、これらの繋部７ａが重ならないように、側片部９における繋部７ａの稜部折目線６からの距離Ａと、蓋片部１０における繋部７ａの稜部折目線６からの距離Ｂには、差が設けられている。
【００１９】
さらに、他方の側板１の上部には、図３に拡大して示すように、ロック片８の側片部９に繋部を有する切目線を入れて、摘み部１２が設けられると共に、摘み部１２に臨んで、繋部を有する切目線を入れて、指入部１３が設けられている。稜部折目線６には、摘み部１２に近接する部分に切目６ａが入れられている。また、図１に示すように、この側板１の下部にも、摘み部１２及び指入部１３が設けられている。
【００２０】
上記のようなブランクを組み立てて物品を包装するには、図４に示すように、各一対の側板１，２を角筒状に折り曲げ、継代片３を反対側の側板１に貼り付けて周壁を形成し、底板１４，１５を順次折り曲げて底面を閉じ、箱内に物品を収納した後、蓋板４，５を順次折り曲げて天面を閉じ、テープＴにより封緘する。
【００２１】
このとき、テープＴの端部は、蓋板５の突合部から側板１の上部に回り込ませ、テープＴが摘み部１２に被さるようにし、指入部１３には被さらないようにする。
【００２２】
このような封緘状態では、側片部９の基端に折目線１１がないことから、耐圧強度が確保され、側片部９と蓋片部１０の両側の切目線７に入れた繋部７ａによっても、耐圧強度が向上する。
【００２３】
そして、この包装箱を開封して物品を取り出す際には、図５に示すように、指入部１３を押し込んで、その抜出穴に指を入れ、摘み部１２を摘んで、テープＴを側板１及び蓋板５から引き剥がす。
【００２４】
このとき、摘み部１２は、テープＴに貼り付いた状態で、側板１から引きちぎられ、側板１の表層が捲れても、稜部折目線６に入れた切目６ａで破れ止めされるので、テープＴを容易に引き剥がすことができる。
【００２５】
次に、図６及び図７に示すように、蓋板４，５を開いて側板１，２の外側へそれぞれ折り返し、側片部９と蓋片部１０とが重なり合ったロック片８を外側へ倒し、側片部９の張出部９ａを蓋片部１０の抜出穴に係合させて、蓋板４，５を開いた状態に保持する。
【００２６】
このとき、側片部９の張出部９ａが撓みつつ、両側縁が平行となった蓋片部１０の抜出穴をスムーズに通過し、基部折目線１１をヒンジとしてロック片８が揺動し、切欠部９ｂに蓋板４，５が噛み込むので、軽い力で簡単かつ確実にロックすることができる。
【００２７】
また、ロック片８の側片部９と蓋片部１０の繋部７ａの位置をずらしたので、ロック片８を倒す際、側片部９と蓋片部１０の繋部７ａが同時にではなく順次切断され、抵抗が軽減される。
【００２８】
このように、蓋板４，５をロックして開いた状態に保持すると、蓋板４，５に煩わされることなく、箱内から物品を取り出すことができる。また、物品と側板１，２の内面との間に隙間がなくても、外側に倒したロック片８の部分から物品と側板１，２の間に手を入れて、物品を引き上げることができる。
【００２９】
なお、上記実施形態では、周壁が四角筒状のものを例示したが、この発明の構成は、周壁のコーナー部分に面取り部が形成された包装箱や、周壁が六角筒状の包装箱にも適用することができる。
【図面の簡単な説明】
【００３０】
【図１】この発明に係る開放ロック付包装箱のブランクを示す図
【図２】同上のロック片部分の拡大図
【図３】同上の摘み部を有するロック片部分の拡大図
【図４】同上の包装箱の封緘状態を示す斜視図
【図５】同上のテープ剥離過程を示す部分拡大斜視図
【図６】同上の包装箱の開放ロック状態を示す斜視図
【図７】同上のロック片部分の拡大斜視図
【図８】従来の開放ロック付包装箱のロック片部分の拡大図
【符号の説明】
【００３１】
１，２  側板
３  継代片
４，５  蓋板
６  稜部折目線
６ａ  切目
７  切目線
７ａ  繋部
８  ロック片
９  側片部
９ａ  張出部
９ｂ  切欠部
１０  蓋片部
１１  基部折目線
１２  摘み部
１３  指入部
１４，１５  底板
【図１】
0005189414.tif 000002
【図２】
0005189414.tif 000003
【図３】
0005189414.tif 000004
【図４】
0005189414.tif 000005
【図５】
0005189414.tif 000006
【図６】
0005189414.tif 000007
【図７】
0005189414.tif 000008
【図８】
0005189414.tif 000009